(57)【要約】【課題】３Ｄコンバージョンレンズを装着したときに、２眼光学系の調整の良し悪しを容易に判断することができる撮像装置を提供する。【解決手段】デジタルビデオカメラ１００は、３Ｄコンバージョンレンズ５００を装着可能である。デジタルビデオカメラ１００は、装着された３Ｄコンバージョンレンズ５００を介して形成された被写体像を撮像して画像データを生成するＣＣＤイメージセンサー１８０と、生成された画像データに基づく画像を表示する液晶モニタ２７０と、装着された３Ｄコンバージョンレンズ５００に含まれる光学系５０１のレンズ位置を調節する調整機構格納部５３０と、レンズ位置の調節に伴って移動する被写体像の所定の部分が、画像における所定の範囲内にあるか否かを判定する判定部（コントローラー２１０）と、判定結果を液晶モニタ２７０に表示させる表示制御部（コントローラー２１０）と、を備える。【選択図】図８
2013145372.tif 000002
【特許請求の範囲】
【請求項１】
３Ｄコンバージョンレンズを装着可能な撮像装置であって、
前記装着された３Ｄコンバージョンレンズを介して形成された被写体像を撮像して画像データを生成する撮像センサと、
前記生成された画像データに基づく画像を表示する表示部と、
前記装着された３Ｄコンバージョンレンズに含まれる光学系のレンズ位置を調節するレンズ調節部と、
レンズ位置の調節に伴って移動する前記被写体像の所定の部分が前記画像における所定の範囲内にあるか否かを判定する判定部と、
前記判定結果を前記表示部に表示させる表示制御部と、
を備えた撮像装置。
【請求項２】
前記表示制御部は、前記被写体像の所定の部分が前記画像における所定の範囲内にあるときは、良好に調節されている旨を前記判定結果として前記表示部に表示させ、前記被写体像の所定の部分が前記画像における所定の範囲内にないときは、良好に調節されていない旨を前記判定結果として前記表示部に表示させる、
請求項１記載の撮像装置。
【請求項３】
前記３Ｄコンバージョンレンズの光学系は、左目用の被写体像を形成する左目用レンズと、右目用の被写体像を形成する右目用レンズとを有し、前記左目用レンズによる左目用の被写体像と前記右目用レンズによる右目用の被写体像とをサイドバイサイド形式で前記撮像センサ上に形成させるものであり、
前記レンズ調節部は、前記左目用レンズ及び前記右目用レンズのレンズ位置を水平方向に一体的に調節可能であり、
前記判定部は、前記左目用レンズにより形成された被写体像と前記右目用レンズにより形成された被写体像との間の領域が、水平方向において、前記画像における所定の範囲内にあるか否かを判定する、
請求項１記載の撮像装置。
【請求項４】
前記３Ｄコンバージョンレンズの光学系は、左目用の被写体像を形成する左目用レンズと、右目用の被写体像を形成する右目用レンズとを有し、前記左目用レンズによる左目用の被写体像と前記右目用レンズによる右目用の被写体像とをサイドバイサイド形式で前記撮像センサ上に形成させるものであり、
前記レンズ調節部は、前記左目用レンズ及び前記右目用レンズのレンズ位置を垂直方向に調節可能であり、
前記判定部は、前記左目用レンズにより形成された被写体像と前記右目用レンズにより形成された被写体像の所定の部分が、垂直方向において、前記画像における所定の範囲内にあるか否かを判定する、
請求項１記載の撮像装置。
【請求項５】
前記３Ｄコンバージョンレンズの光学系は、左目用の被写体像を形成する左目用レンズと、右目用の被写体像を形成する右目用レンズとを有し、前記左目用レンズによる左目用の被写体像と前記右目用レンズによる右目用の被写体像とをサイドバイサイド形式で前記撮像センサ上に形成させるものであり、
前記３Ｄコンバージョンレンズは、当該３Ｄコンバージョンレンズに所定の位置関係で装着可能なレンズキャップを備え、
前記レンズキャップには、前記レンズキャップが前記３Ｄコンバージョンレンズに取り付けられ、かつ前記３Ｄコンバージョンレンズが当該撮像装置に装着された状態で当該撮像装置の水平方向に対して平行になるレンズ位置調整用パターンが形成されており、
前記レンズ調節部は、前記左目用レンズ及び前記右目用レンズの垂直方向のレンズ位置を独立して及び一体的に調節可能であり、
前記判定部は、前記レンズキャップが装着され、かつ前記レンズ調節部により前記左目用レンズ及び前記右目用レンズの垂直方向のレンズ位置が一体的に調節された状態において、前記左目用レンズ及び前記右目用レンズのうちの一方のレンズにより前記撮像センサ上に形成された被写体像に含まれる前記レンズ位置調整用パターンが垂直方向において、前記画像における所定の範囲内にあるか否かを判定し、
前記レンズキャップが装着されておらず、かつ前記レンズ調節部により前記左目用レンズ及び前記右目用レンズのうちの他方のレンズ位置が独立して調節された状態において、前記左目用レンズにより前記撮像センサ上に形成された左目用の被写体像と、前記右目用レンズにより前記撮像センサ上に形成された右目用の被写体像との間の垂直方向の位置ずれ量が所定量より小さいか否かを判定する、
請求項１記載の撮像装置。
【請求項６】
前記レンズキャップの前記レンズ位置調整用パターンは、前記レンズキャップが前記３Ｄコンバージョンレンズに装着された状態において、前記撮像装置の水平方向に対して斜めに交差する線を含んでいる、
請求項５記載の撮像装置。
【発明の詳細な説明】
【技術分野】
【０００１】
本開示は、３次元画像を撮像可能な撮像装置に関する。
【背景技術】
【０００２】
特許文献１には、左目用レンズと右目用レンズを有する２眼光学系を備え、３次元（３Ｄ）画像を撮像可能な撮像装置が開示されている。また、特許文献１には、２眼光学系の位置調整に関する技術が開示されている。
【先行技術文献】
【特許文献】
【０００３】
【特許文献１】特開２０１０−２０４４８２号公報
【発明の概要】
【発明が解決しようとする課題】
【０００４】
特許文献１に開示の技術では、専門技術を有するオペレータがチャートの撮影画像を見て２眼光学系の位置調整の良し悪しを判断する。しかし、一般のユーザにとって、チャートの撮影画像を見て２眼光学系の位置調整の良し悪しを判断することは容易でない。特に、３Ｄコンバージョンレンズを装着することにより３次元（３Ｄ）画像の撮像が可能となる撮像装置においては、３Ｄコンバージョンレンズの装着の度に２眼光学系の位置調整が望まれ、この問題が顕著となる。
【０００５】
本開示は、３Ｄコンバージョンレンズの光学系の調整の良し悪しをユーザが容易に判断することができる撮像装置を提供する。
【課題を解決するための手段】
【０００６】
本開示の撮像装置は、３Ｄコンバージョンレンズを装着可能な撮像装置である。撮像装置は、
装着された３Ｄコンバージョンレンズを介して形成された被写体像を撮像して画像データを生成する撮像センサと、
生成された画像データに基づく画像を表示する表示部と、
装着された３Ｄコンバージョンレンズに含まれる光学系のレンズ位置を調節するレンズ調節部と、
レンズ位置の調節に伴って移動する被写体像の所定の部分が、画像における所定の範囲内にあるか否かを判定する判定部と、
判定結果を表示部に表示させる表示制御部と、
を備える。
【発明の効果】
【０００７】
本開示の撮像装置によれば、３Ｄコンバージョンレンズの光学系の調整の良し悪しをユーザが容易に判断することができる撮像装置を提供できる。
【図面の簡単な説明】
【０００８】
【図１】デジタルビデオカメラ１００に３Ｄコンバージョンレンズ５００を取り付けた状態を示す斜視図
【図２】デジタルビデオカメラ１００から３Ｄコンバージョンレンズ５００を取り外した状態を示す斜視図
【図３】３Ｄコンバージョンレンズ５００及びデジタルビデオカメラ１００の光学系の構成を示す模式図
【図４】３Ｄコンバージョンレンズ５００を取り付けた状態のデジタルビデオカメラ１００が撮像する画像データを説明するための模式図
【図５】調整機構格納部５３０を開放した状態で調整機構格納部５３０内を上方から見た上面図
【図６】レンズキャップ５７０を内側から見た状態を示す斜視図、及びレンズキャップ５７０を外側から見た状態を示す斜視図
【図７】レンズキャップ５７０をレンズキャップ取付部５２０に取り付けた際に、レンズキャップ取付部５２０側から見たレンズキャップ５７０の構成を示す模式図
【図８】デジタルビデオカメラ１００の構成を示すブロック図
【図９Ａ】デジタルビデオカメラ１００が３Ｄコンバージョンレンズ５００の取り付けを検出した場合の動作を示すフローチャート（その１）
【図９Ｂ】デジタルビデオカメラ１００が３Ｄコンバージョンレンズ５００の取り付けを検出した場合の動作を示すフローチャート（その２）
【図１０】初期設定時の液晶モニタ２７０の表示内容を説明するための模式図
【図１１】３Ｄコンバージョンレンズ５００の調整をするかを問い合わせる際の液晶モニタ２７０の表示内容を説明するための模式図
【図１２】３Ｄコンバージョンレンズ５００の水平位置の調整時の液晶モニタ２７０の表示内容を説明するための模式図。
【図１３】３Ｄコンバージョンレンズ５００の垂直位置の第１の調整時の液晶モニタ２７０の表示内容を説明するための模式図
【図１４】３Ｄコンバージョンレンズ５００の垂直位置の第２の調整の準備時の液晶モニタ２７０の表示内容を説明するための模式図
【図１５】３Ｄコンバージョンレンズ５００の垂直位置の第２の調整時の液晶モニタ２７０の表示内容を説明するための模式図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面及び以下の説明を提供するのであって、これらによって特許請求の範囲に記載の主題を限定することを意図するものではない。
【００１０】
（実施の形態１）
実施の形態１について図面を用いて説明する。
【００１１】
１−１．概要
本実施の形態にかかるデジタルビデオカメラ１００の概要について図１〜３を用いて説明する。図１は、デジタルビデオカメラ１００に３Ｄコンバージョンレンズ５００を取り付けた状態を示す斜視図である。図２は、デジタルビデオカメラ１００から３Ｄコンバージョンレンズ５００を取り外した状態を示す斜視図である。
【００１２】
図１に示すように、デジタルビデオカメラ１００は、３Ｄコンバージョンレンズ５００を取り付けるための取付部６４０を有している。取付部６４０は、内側に雌ネジを有している。一方、３Ｄコンバージョンレンズ５００は、取付部６４０が有する雌ネジに係合する雄ネジを有している。ユーザは、３Ｄコンバージョンレンズ５００が有する雄ネジを取付部６４０が有する雌ネジに係合させることで、３Ｄコンバージョンレンズ５００をデジタルビデオカメラ１００に取り付けることができる。なお、デジタルビデオカメラ１００は、３Ｄコンバージョンレンズ５００が取り付けられたことを検出スイッチ８００（後述する図８参照）により磁気的に検出できる。
【００１３】
図３は、３Ｄコンバージョンレンズ５００の光学系５０１及びデジタルビデオカメラ１００の光学系１０１の構成を説明した図である。３Ｄコンバージョンレンズ５００の光学系５０１は、３Ｄ（three dimensions）画像における右目用の被写体像を形成するための光を導入する右目用レンズ６００と、左目用の被写体像を形成するための光を導入する左目用レンズ６２０と、右目用レンズ６００及び左目用レンズ６２０に導入された光をデジタルビデオカメラ１００の光学系１０１に導くための左目用と右目用とが一体化された共用レンズ６１０とを有する。３Ｄコンバージョンレンズ５００の右目用レンズ６００及び左目用レンズ６２０に入射した光は、それぞれ共用レンズ６１０を介してデジタルビデオカメラ１００の光学系１０１に導入され、デジタルビデオカメラ１００のＣＣＤイメージセンサー１８０（後述する図８参照）に、例えば図４に示すようなサイドバイサイド形式の画像として結像される。右目用レンズ６００及び左目用レンズ６２０は、３Ｄコンバージョンレンズ５００内で個別に上下左右に（光軸に対して垂直な方向に）移動可能に構成されている。
【００１４】
図１に戻り、３Ｄコンバージョンレンズ５００は、調整機構格納部５３０を有する。調整機構格納部５３０内には後述する水平調整ダイヤル、第１垂直調整ダイヤル、第２垂直調整ダイヤル等の調整ダイヤルが格納されている。また、調整機構格納部５３０には、前記調整ダイヤルに連動して右目用レンズ６００及び左目用レンズ６２０を移動させる駆動機構が格納されている。
【００１５】
ユーザは、各種調整ダイヤルを操作することにより、右目用レンズ６００及び左目用レンズ６２０の３Ｄコンバージョンレンズ５００内での位置をそれぞれ調整できる。右目用レンズ６００及び左目用レンズ６２０の３Ｄコンバージョンレンズ５００内での位置がそれぞれ調整されると、３Ｄコンバージョンレンズ５００に入射した光は、デジタルビデオカメラ１００のＣＣＤイメージセンサー１８０上に上記調整の内容に応じた位置で結像される。
【００１６】
本実施の形態にかかるデジタルビデオカメラ１００は、３Ｄコンバージョンレンズ５００の取り付け後の調整を容易に行うための機能を有する。
【００１７】
１−２．調整ダイヤル
調整機構格納部５３０に収納されている各種調整ダイヤルについて図５を用いて説明する。図５は、調整機構格納部５３０を開放した状態で調整機構格納部５３０内を上方から見た上面図である。調整機構格納部５３０内には、水平調整ダイヤル５４０（両レンズ水平調整ダイヤル）、第１垂直調整ダイヤル５５０（両レンズ垂直調整ダイヤル）、及び第２垂直調整ダイヤル５６０（片レンズ垂直調整ダイヤル）が収納されている。水平調整ダイヤル５４０は、右目用レンズ６００及び左目用レンズ６２０の水平方向の位置を調整するためのダイヤルである。第１垂直調整ダイヤル５５０は、右目用レンズ６００及び左目用レンズ６２０の垂直方向の位置を調整するためのダイヤルである。第２垂直調整ダイヤル５６０は、左目用レンズ６２０の垂直方向の位置を調整するためのダイヤルである。水平調整ダイヤル５４０、第１垂直調整ダイヤル５５０及び第２垂直調整ダイヤル５６０は、ギヤ形状をしている。水平調整ダイヤル５４０、及び第２垂直調整ダイヤル５６０は、矢印方向と垂直な方向に設けられた不図示の軸により矢印方向に回転可能に保持されている。ユーザは、水平調整ダイヤル５４０、及び第２垂直調整ダイヤル５６０を矢印方向に回転操作できる。また、第１垂直調整ダイヤル５５０は、調整機構格納部５３０の面の法線方向に設けられた軸により矢印方向（すなわち、円周方向）に回転可能に保持されている。ユーザは、第１垂直調整ダイヤル５５０を矢印方向に回転操作できる。
【００１８】
ユーザにより水平調整ダイヤル５４０が操作されると、右目用レンズ６００及び左目用レンズ６２０は、３Ｄコンバージョンレンズ５００内において水平方向に移動する。ユーザにより第１垂直調整ダイヤル５５０が操作されると、右目用レンズ６００及び左目用レンズ６２０は、３Ｄコンバージョンレンズ５００内において垂直方向に移動する。ユーザにより第２垂直調整ダイヤル５６０が操作されると、左目用レンズ６２０は、３Ｄコンバージョンレンズ５００内において垂直方向に移動する。
【００１９】
このような構成により、ユーザは、水平調整ダイヤル５４０、第１垂直調整ダイヤル５５０及び第２垂直調整ダイヤル５６０を操作することにより、右目用レンズ６００及び左目用レンズ６２０を介して入射する光のＣＣＤイメージセンサー１８０上における結像位置を調整できる。
【００２０】
１−３．レンズキャップの構成
本実施の形態では、３Ｄコンバージョンレンズ５００にレンズキャップ５７０が装着可能である。特に、このレンズキャップ５７０は、３Ｄコンバージョンレンズ５００に装着された状態において３Ｄコンバージョンレンズ５００の光学系５０１の調整を行うことを可能とする。以下、このレンズキャップ５７０について図６、図７を用いて説明する。レンズキャップ５７０は、レンズキャップ取付部５２０に取り付け可能である。図６（ａ）は、レンズキャップ５７０を内面側から見た状態を示す斜視図である。図６（ｂ）は、レンズキャップ５７０を外面側から見た状態を示す斜視図である。図７は、レンズキャップ５７０をレンズキャップ取付部５２０に取り付けた際に、レンズキャップ取付部５２０側から見たレンズキャップ５７０の構成を示す模式図である。
【００２１】
レンズキャップ５７０の内面には、３Ｄコンバージョンレンズ５００に対する取り付け位置を規定するとともに、レンズキャップ５７０の３Ｄコンバージョンレンズ５００に対する回転を防止するための構造が設けられている。具体的には、レンズキャップ５７０の内面の左右には突起６８０が形成されている。また、３Ｄコンバージョンレンズ５００の先端部外周の左右には、図１に示すように、溝６７０が設けられている。そして、レンズキャップ５７０を３Ｄコンバージョンレンズ５００に取り付けるときに、レンズキャップ５７０の突起６８０と３Ｄコンバージョンレンズ５００の溝６７０とを係合させる。これにより、レンズキャップ５７０の３Ｄコンバージョンレンズ５００に対する取り付け位置が規定されるとともに、レンズキャップ５７０の３Ｄコンバージョンレンズ５００に対する回転を防止することができる。
【００２２】
レンズキャップ５７０には、図６（ａ）、図７に示すようなパターンが付されている。具体的には、レンズキャップ５７０には、直線からなる基準線５８０が付されている。基準線５８０は、レンズキャップ５７０が３Ｄコンバージョンレンズ５００に取り付けられ、かつ３Ｄコンバージョンレンズ５００がデジタルビデオカメラ１００に装着された状態で、デジタルビデオカメラ１００の水平方向に対して平行になるように設けられている。レンズキャップ５７０には、基準線５８０に線対称に配置された２つの三角形からなるパターン５９０が付されている。また、このパターン５９０は、基準線５８０の中点を中心として左右対称に配置されている。領域６１０は、光を透過する樹脂で構成されている。従って、レンズキャップ５７０をレンズキャップ取付部５２０に取り付けた状態で、デジタルビデオカメラ１００は、図７に示す模様を撮像できる。パターン５９０は、２つの三角形からなるパターンであるので、斜め方向に延びる線を有している。そのため、パターン５９０は、コントラストＡＦ方式において合焦させやすいというメリットがある。なお、斜め方向に延びる線を有していれば、パターンは三角形である必要はない。
【００２３】
１−４．デジタルビデオカメラの電気的構成
本実施の形態にかかるデジタルビデオカメラ１００の電気的構成について、図８を用いて説明する。図８は、デジタルビデオカメラ１００の構成を示すブロック図である。デジタルビデオカメラ１００は、光学系１０１、ＣＣＤイメージセンサー１８０、画像処理部１９０、液晶モニタ２７０、検出器１２０、ズームモータ１３０、ＯＩＳアクチュエータ１５０、検出器１６０、メモリ２００、ズームレバー２６０、操作部材２５０、内部メモリ２８０、ジャイロセンサー２２０、及びカードスロット２３０を有する。デジタルビデオカメラ１００は、光学系１０１により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００２４】
デジタルビデオカメラ１００の光学系１０１は、ズームレンズ１１０、ＯＩＳ１４０、フォーカスレンズ１７０を含む。ズームレンズ１１０は、光学系１０１の光軸に沿って移動することにより、被写体像を拡大又は縮小可能である。また、フォーカスレンズ１７０は、光学系１０１の光軸に沿って移動することにより、被写体像のピントを調整する。
【００２５】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００２６】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００２７】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。検出器１６０は、ＯＩＳ１４０内における補正レンズの移動量を検出する。
【００２８】
ＣＣＤイメージセンサー１８０は、ズームレンズ１１０等からなる光学系１０１で形成された被写体像を撮像して、映像データを生成する。ＣＣＤイメージセンサー１８０は、露光、転送、電子シャッタなどの各種動作を行う。
【００２９】
画像処理部１９０は、ＣＣＤイメージセンサー１８０で生成された映像データに対して各種の処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００３０】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００３１】
メモリ２００は、画像処理部１９０及びコントローラー２１０のワークメモリとして機能する。メモリ２００は、例えば、ＤＲＡＭ、強誘電体メモリなどで実現できる。
【００３２】
液晶モニタ２７０は、ＣＣＤイメージセンサー１８０で生成された映像データが示す画像や、メモリカード２４０から読み出した映像データが示す画像を表示可能である。また、液晶モニタ２７０上にはタッチパネルが設けられている。ユーザは、液晶モニタ２７０上に表示されたアイコンをタッチすることで、デジタルビデオカメラ１００を操作できる。
【００３３】
ジャイロセンサー２２０は、圧電素子等の振動材等で構成される。ジャイロセンサー２２０は、圧電素子等の振動材を一定周波数で振動させたときのコリオリ力による力を電圧に変換して角速度情報を得る。デジタルビデオカメラ１００は、ジャイロセンサー２２０から角速度情報を得て、この揺れを相殺する方向にＯＩＳ内の補正レンズを駆動させることにより、ユーザによる手振れを補正する。
【００３４】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００３５】
内部メモリ２８０は、フラッシュメモリや強誘電体メモリなどで構成される。内部メモリ２８０は、デジタルビデオカメラ１００全体を制御するための制御プログラム等を格納する。
【００３６】
操作部材２５０は、ユーザから操作を受け付ける部材である。ズームレバー２６０は、ユーザからズーム倍率の変更指示を受け付ける部材である。
【００３７】
検出スイッチ８００は、３Ｄコンバージョンレンズ５００がデジタルビデオカメラ１００に取り付けられたことを磁気的に検出できる。検出スイッチ８００は、３Ｄコンバージョンレンズ５００が取り付けられたことを検出すると、その旨の信号をコントローラー２１０に通知する。これにより、コントローラー２１０は、デジタルビデオカメラ１００に３Ｄコンバージョンレンズ５００が取り付けられたこと、及び取り外されたことを検出できる。
【００３８】
１−５．動作
１−５−１．３Ｄコンバージョンレンズが取り付けられていることを検出した場合の動作
デジタルビデオカメラ１００が、３Ｄコンバージョンレンズ５００が取り付けられたことを検出した場合の動作について図９Ａ〜図１２を用いて説明する。図９Ａ、図９Ｂは、デジタルビデオカメラ１００が、３Ｄコンバージョンレンズ５００が取り付けられていることを検出した場合の動作を示すフローチャートである。図１０は、初期設定時の液晶モニタ２７０の表示内容を説明するための模式図である。図１１は、３Ｄコンバージョンレンズ５００の調整をするかを問い合わせる際の液晶モニタ２７０の表示内容を説明するための模式図である。図１２〜図１５は、３Ｄコンバージョンレンズ５００の調整時の液晶モニタ２７０の表示内容を説明するための模式図である。
【００３９】
ユーザにより３Ｄコンバージョンレンズ５００がデジタルビデオカメラ１００に取り付けられると、コントローラー２１０は、検出スイッチ８００からの検出信号に基づき、３Ｄコンバージョンレンズ５００が取り付けられたことを検出する（Ｓ１００）。３Ｄコンバージョンレンズ５００が取り付けられたことを検出すると、コントローラー２１０は、図１０に示すメッセージを表示するよう液晶モニタ２７０を制御する（Ｓ１１０）。具体的には、「３Ｄ撮影の初期設定を行っています。」とのメッセージを表示する。また、液晶モニタ２７０にメッセージを表示させるのに併せて、コントローラー２１０は、３Ｄモードにおける初期設定を開始するようデジタルビデオカメラ１００を制御する（Ｓ１１０）。具体的には、コントローラー２１０は、初期設定として、ズームレンズ１１０を望遠端に移動させたり、画像処理の方法を２Ｄ画像の撮影モードとは異なる方法にするよう設定したりする。なお、図１０に表示したメッセージは一例である。メッセージの内容は、同様の主旨である限り異なる内容でも構わない。
【００４０】
初期設定が完了すると、コントローラー２１０は、図１１に示すメッセージを表示するよう液晶モニタ２７０を制御する（Ｓ１２０）。具体的には、コントローラー２１０は、例えば「３Ｄコンバージョンレンズの調整をしますか？  調整する場合にはレンズキャップを取り付けてください」というように、３Ｄコンバージョンレンズ５００の位置調整を行うかを問合せて、調整する場合にはレンズキャップを取り付けるよう促すメッセージを表示する。また、コントローラー２１０は、図１１に示すようなＯＳＤを表示するよう液晶モニタ２７０を制御する。具体的には、コントローラー２１０は、水平方向基準線９１０及び垂直方向基準線９００を表示するよう液晶モニタ２７０を制御する。また、コントローラー２１０は、ユーザによる操作を受け付けるための「調整」を示すＯＳＤ９２０、及び「終了」を示すＯＳＤ９３０を表示するよう液晶モニタ２７０を制御する。
【００４１】
図１１に示される画像を表示するよう液晶モニタ２７０を制御すると、コントローラー２１０は、ユーザにより「調整」を示すＯＳＤ９２０がタッチされるか、「終了」を示すＯＳＤ９３０がタッチされるまで待機する（Ｓ１３０）。
【００４２】
ユーザにより「終了」を示すＯＳＤ９３０が選択されると、コントローラー２１０は、撮影モードに移行し（Ｓ１４０）、ユーザから撮影開始指示を受け付けるまで待機する。一方、図１１に示される画像を表示している際に、ユーザにより「調整」を示すＯＳＤ９２０が選択されると、コントローラー２１０は、調整モードに移行する。この調整モードは、左目用の画像及び右目用の画像の何れか一方の画像が形成される位置を調整するための第１の調整モードと、第１のモードにおいて調整された一方の画像が形成される垂直方向の位置に対して、他方の画像が形成される垂直方向の位置を揃えるための第２のモードとを含む。本実施の形態では、第１のモードにおいて右目用の画像が形成される位置を調整し、第２のモードにおいて左目用の画像が形成される垂直方向の位置を調整する場合について説明するが、第１のモードにおいて左目用の画像が形成される位置を調整し、第２のモードにおいて右目用の画像が形成される垂直方向の位置を調整してもよい。
【００４３】
まず、コントローラー２１０は、第１の調整モードを実行する。すなわち、図１２（ａ）に示される画像を表示するよう液晶モニタ２７０を制御する（Ｓ１５０）。なお、ユーザは、３Ｄコンバージョンレンズ５００の位置を調整するときに、図１１に示される画像を認識した後、レンズキャップ５７０をデジタルビデオカメラ１００に取り付けるものとする。具体的には、コントローラー２１０は、垂直方向基準線９４０を２本表示するよう液晶モニタ２７０を制御する。また、コントローラー２１０は、ＣＣＤイメージセンサー１８０により撮像された左目用の画像９７０Ｌ及び右目用の画像９７０Ｒを表示するよう液晶モニタ２７０を制御する。また、コントローラー２１０は、「水平方向に調整して下さい。」というメッセージを表示するよう液晶モニタ２７０を制御する。ユーザは、水平調整ダイヤル５４０を操作することにより、左目用の画像９７０Ｌと右目用の画像９７０Ｒを水平方向に移動させ、これにより、これらの画像９７０Ｌと９７０Ｒの間に存在する領域である領域９５０を水平方向に移動できる。ユーザは、領域９５０を２本の垂直方向基準線９４０の間に移動させることで、右目用レンズ６００及び左目用レンズ６２０の水平方向の位置を調整できる。また、デジタルビデオカメラ１００は、パターン５９０を撮像している。デジタルビデオカメラ１００は、コントラスト方式のＡＦによりパターン５９０に合焦させることができる。その結果、デジタルビデオカメラ１００は、基準線５８０にも合焦させることができる。
【００４４】
コントローラー２１０は、領域９５０の水平位置を検出し（Ｓ１６０）、領域９５０が垂直方向基準線９４０の間に収まっているか否かにより、右目用レンズ６００及び左目用レンズ６２０の水平位置が調整できているか否かを判定する（Ｓ１７０）。より具体的には、コントローラー２１０は、領域９５０の中心線の位置を撮影画像から解析して、領域９５０の中心線が画面内のいずれの位置に存在するかを把握する。そして、撮影画像の解析により把握している領域９５０の位置（中心線の位置）が、予め位置を把握している垂直方向基準線９４０内に収まっているか否かを比較演算することにより、右目用レンズ６００及び左目用レンズ６２０の水平位置が調整できているか否かを判定する。
【００４５】
例えば、図１２（ａ）に示すように、領域９５０が垂直方向基準線９４０の間に収まっていないとき、コントローラー２１０は、右目用レンズ６００及び左目用レンズ６２０の水平位置が調整できていないと判定する。このとき、右目用レンズ６００及び左目用レンズ６２０の水平位置が調整できていないことをユーザに対して明示するため、コントローラー２１０は、液晶モニタ２７０に「ＮＧ」を示すＯＳＤ８１０を表示する（Ｓ１８０）。一方、図１２（ｂ）に示すように、領域９５０が垂直方向基準線９４０の間に収まっているとき、コントローラー２１０は、右目用レンズ６００及び左目用レンズ６２０の水平位置が適切に調整できたと判定する。このとき、右目用レンズ６００及び左目用レンズ６２０の水平位置が適切に調整できたことをユーザに対して明示するため、コントローラー２１０は、液晶モニタ２７０に「ＯＫ」を示すＯＳＤ８２０を表示する（Ｓ１９０）。以上のように、コントローラー２１０は、領域９５０が垂直方向基準線９４０内に収まっているか否かに応じて液晶モニタ２７０に、適切に調整できているか否かを明示する。これにより、水平調整ダイヤル５４０を操作しているユーザは、現在の調整している位置が適切か否かを容易に判断することが可能となる。
【００４６】
液晶モニタ２７０に「ＯＫ」を示すＯＳＤ８２０を表示すると、コントローラー２１０は、ユーザにより「次へ」を示すＯＳＤ９９０がタッチされたか判定する（Ｓ２００）。
【００４７】
ユーザにより「次へ」を示すＯＳＤ９９０がタッチされると、コントローラー２１０は、図１３（ａ）に示される画像を表示するよう液晶モニタ２７０を制御する（Ｓ２１０）。具体的には、コントローラー２１０は、水平方向基準線９６０を２本表示するよう液晶モニタ２７０を制御する。また、コントローラー２１０は、ＣＣＤイメージセンサー１８０により撮像された画像のうち右目用の画像９７０Ｒのみを表示するよう液晶モニタ２７０を制御する。右目用の画像９７０Ｒのみを表示するのは、右目用の画像９７０Ｒと左目用の画像９７０Ｌの両方を表示すると、ユーザがどちらの画像について調整すればよいかわからなくなる虞があるからである。また、コントローラー２１０は、「垂直方向に調整して下さい。」というメッセージを表示するよう液晶モニタ２７０を制御する。ユーザは、第２垂直調整ダイヤル５６０を操作することにより、右目用の画像９７０Ｒを垂直方向に移動できる。ユーザは、基準線５８０を２本の水平方向基準線９６０の間に移動させることで、右目用レンズ６００の垂直方向の位置を調整できる。
【００４８】
ユーザにより「次へ」を示すＯＳＤ９９０以外の部分がタッチされた場合、コントローラー２１０は、前記ステップＳ１６０以後の処理を繰り返す。なお、ユーザにより「戻る」を示すＯＳＤ９８０がタッチされた場合、コントローラー２１０は、例えば、前記ステップＳ１２０以後の処理を繰り返すようにしてもよい。
【００４９】
図１３（ａ）に示される画像を表示するよう液晶モニタ２７０を制御すると、コントローラー２１０は、基準線５８０の垂直位置を検出し（Ｓ２２０）、基準線５８０が水平方向基準線９６０の間に収まっているか否かにより、右目用レンズ６００及び左目用レンズ６２０の垂直位置が調整できているか否かを判定する（Ｓ２３０）。より具体的には、コントローラー２１０は、基準線５８０の位置を撮影画像から解析して、基準線５８０が画面内のいずれの位置に存在するかを把握する。そして、撮影画像の解析により把握している基準線５８０が、予め位置を把握している水平方向基準線９６０内に収まっているか否かを比較演算することにより、右目用レンズ６００及び左目用レンズ６２０の垂直位置が調整できているか否かを判定する。
【００５０】
例えば、図１３（ａ）に示すように、基準線５８０が水平方向基準線９６０の間に収まっていないとき、コントローラー２１０は、右目用レンズ６００及び左目用レンズ６２０の垂直位置が調整できていないと判定する。このとき、右目用レンズ６００及び左目用レンズ６２０の垂直位置が調整できていないことをユーザに対して明示するため、コントローラー２１０は、液晶モニタ２７０に「ＮＧ」を示すＯＳＤ８１０を表示する（Ｓ２４０）。一方、図１３（ｂ）に示すように、基準線５８０が水平方向基準線９６０の間に収まっているとき、コントローラー２１０は、右目用レンズ６００及び左目用レンズ６２０の垂直位置が適切に調整できたと判定する。このとき、右目用レンズ６００及び左目用レンズ６２０の垂直位置が適切に調整できたことをユーザに対して明示するため、コントローラー２１０は、液晶モニタ２７０に「ＯＫ」を示すＯＳＤ８２０を表示する（Ｓ２５０）。以上のように、コントローラー２１０は、基準線５８０が水平方向基準線９６０内に収まっているか否かに応じて液晶モニタ２７０に、適切に調整できているか否かを明示する。これにより、第１垂直調整ダイヤル５５０を操作しているユーザは、現在の調整している位置が適切か否かを容易に判断することが可能となる。
【００５１】
液晶モニタ２７０に「ＯＫ」を示すＯＳＤ８２０を表示すると、コントローラー２１０は、ユーザにより「次へ」を示すＯＳＤ９９０がタッチされたか判定する（Ｓ２６０）。
【００５２】
ユーザにより「次へ」を示すＯＳＤ９９０がタッチされると、コントローラー２１０は、第２の調整モードを実行する。すなわち、コントローラー２１０は、図１４に示される画像を表示するよう液晶モニタ２７０を制御する（Ｓ２７０）。具体的には、コントローラー２１０は、「レンズキャップを外してください。１．２ｍ〜２．０ｍ離れた被写体を写してください」というメッセージを表示するよう液晶モニタ２７０を制御する。
【００５３】
ユーザにより「次へ」を示すＯＳＤ９９０以外の部分がタッチされた場合、コントローラー２１０は、前記ステップＳ２２０以後の処理を繰り返す。なお、ユーザにより「戻る」を示すＯＳＤ９８０がタッチされた場合、コントローラー２１０は、例えば、前記ステップＳ１６０以後の処理を繰り返すようにしてもよい。
【００５４】
図１４に示される画像を表示するよう液晶モニタ２７０を制御すると、コントローラー２１０は、ユーザにより「次へ」を示すＯＳＤ９９０がタッチされたか判定する（Ｓ２８０）。
【００５５】
ユーザにより「次へ」を示すＯＳＤ９９０がタッチされると、コントローラー２１０は、図１５（ａ）に示される画像を表示するよう液晶モニタ２７０を制御する（Ｓ２９０）。具体的には、コントローラー２１０は、左目用の画像９９５Ｌと、右目用の画像９９５Ｒとを水平方向、及び垂直方向に液晶モニタ２７０の画素数に対応する大きさまで引き伸ばし、それぞれの画像を重畳して表示するよう液晶モニタ２７０を制御する。また、コントローラー２１０は、「画像の垂直方向のズレを調整して下さい。」というメッセージを表示するよう液晶モニタ２７０を制御する。ユーザは、第２垂直調整ダイヤル５６０を操作することにより、左目用の画像９９５Ｌを垂直方向に移動できる。ユーザは、左目用の画像９９５Ｌの垂直方向の位置を右目用の画像９９５Ｒの垂直方向の位置に移動させることで、左目用レンズ６２０の垂直方向の位置を調整できる。つまり、ユーザは、このようにすることで、ＣＣＤイメージセンサー１８０に対する３Ｄコンバージョンレンズ５００の傾きにより生じる左目用画像９９５Ｌと右目用画像９９５Ｒとの垂直方向のズレを調整できる。３Ｄコンバージョンレンズ５００がデジタルビデオカメラ１００に対して傾いた状態で取り付けられると、撮像された画像も傾くこととなるが、この傾きは、ユーザが画像を視認する際、左目用の画像と右目用の画像の上下方向のずれとなる。その結果、３Ｄ画像を視るユーザを疲れさせる。しかし、本実施形態では、上記のような構成を採用したことにより、このような不具合を防止することができる。
【００５６】
ユーザにより「次へ」を示すＯＳＤ９９０以外の部分がタッチされた場合、コントローラー２１０は、前記ステップＳ２８０の処理を繰り返す。なお、ユーザにより「戻る」を示すＯＳＤ９８０がタッチされた場合、コントローラー２１０は、例えば、前記ステップＳ２２０以後の処理を繰り返すようにしてもよい。
【００５７】
画像処理部１９０は、随時生成されてくる左目用画像９９５Ｌと、右目用画像９９５Ｒとのマッチング処理を行なう。画像処理部１９０は、現在の左目用画像９９５Ｌと、右目用画像９９５Ｒとのマッチング処理結果を、コントローラー２１０に随時通知する。コントローラー２１０は、マッチング処理結果から、左目用画像９９５Ｌと右目用画像９９５Ｒとの垂直方向のずれ（量）を検出し（Ｓ３００）、このずれ量が所定の基準値より大きいか否かを判定する（Ｓ３１０）。
【００５８】
図１５（ａ）は、画像処理部１９０からのマッチング処理結果に基づき、左目用画像９９５Ｌと右目用画像９９５Ｒとの垂直方向のずれが所定の基準値より大きいと判定したときの画面のイメージを示す図である。このとき、コントローラー２１０は、左目用画像９９５Ｌと右目用画像９９５Ｒとの垂直方向のずれが所定の基準値よりも大きいため、片レンズ（左目用レンズ６２０）の垂直位置が調整できていないと判定する。このとき、片レンズの垂直位置が調整できていないことをユーザに対して明示するため、コントローラー２１０は、液晶モニタ２７０に「ＮＧ」を示すＯＳＤ８１０を表示する（Ｓ３２０）。一方、図１５（ｂ）に示すように、左目用画像９９５Ｌと右目用画像９９５Ｒとの垂直方向のずれが所定の基準値より小さいと判定したとき、コントローラー２１０は、片レンズの垂直位置が適切に調整できたと判定する。このとき、片レンズの垂直位置が適切に調整できたことをユーザに対して明示するため、コントローラー２１０は、液晶モニタ２７０に「ＯＫ」を示すＯＳＤ８２０を表示する（Ｓ３３０）。以上のように、コントローラー２１０は、左目用画像９９５Ｌと右目用画像９９５Ｒとの垂直方向のずれが所定の基準値との比較結果に応じて液晶モニタ２７０に、適切に調整できているか否かを明示する。これにより、第２垂直調整ダイヤル５４０を操作しているユーザは、現在の調整している位置が適切か否かを容易に判断することが可能となる。
【００５９】
液晶モニタ２７０に「ＯＫ」を示すＯＳＤ８２０を表示すると、コントローラー２１０は、ユーザにより「次へ」を示すＯＳＤ９９０がタッチされたか判定する（Ｓ３４０）。
【００６０】
ユーザにより「次へ」を示すＯＳＤ９９０がタッチされると、コントローラー２１０は、撮影モードに移行するようデジタルビデオカメラ１００全体を制御する（Ｓ３５０）。
【００６１】
ユーザにより「次へ」を示すＯＳＤ９９０以外の部分がタッチされた場合、コントローラー２１０は、前記ステップＳ３００以後の処理を繰り返す。なお、ユーザにより「戻る」を示すＯＳＤ９８０がタッチされた場合、コントローラー２１０は、例えば、前記ステップＳ２７０以後の処理を繰り返すようにしてもよい。
【００６２】
１−６．効果等
以上のように、本開示のデジタルビデオカメラ１００は、３Ｄコンバージョンレンズ５００を装着可能である。デジタルビデオカメラ１００は、
装着された３Ｄコンバージョンレンズ５００を介して形成された被写体像を撮像して画像データを生成するＣＣＤイメージセンサー１８０と、
生成された画像データに基づく画像を表示する液晶モニタ２７０と、
装着された３Ｄコンバージョンレンズ５００に含まれる光学系５０１のレンズ位置を調節する調整機構格納部５３０と、
レンズ位置の調節に伴って移動する被写体像の所定の部分が、画像における所定の範囲内にあるか否かを判定する判定部（コントローラー２１０）と、
判定結果を液晶モニタ２７０に表示させる表示制御部（コントローラー２１０）と、
を備える。
【００６３】
これにより、ユーザが３Ｄコンバージョンレンズ５００に含まれる光学系５０１のレンズ位置の調整を行ったときに、調整の良し悪しがデジタルビデオカメラ１００によって判定され、判定結果が液晶モニタ２７０に表示される。そのため、ユーザは調整の良し悪しを容易に判断することができる。
【００６４】
本開示において、
コントローラー２１０（表示制御部）は、被写体像の所定の部分が画像における所定の範囲内にあるときは、良好に調節されている旨を判定結果として液晶モニタ２７０に表示させ、被写体像の所定の部分が画像における所定の範囲内にないときは、良好に調節されていない旨を判定結果として液晶モニタ２７０に表示させる。
【００６５】
これにより、ユーザは、液晶モニタ２７０に表示された、良好に調節されている旨の表示または良好に調節されていない旨の表示に基づいて、３Ｄコンバージョンレンズ５００の調整の良し悪しをより容易に判断することができる。
【００６６】
本開示において、
３Ｄコンバージョンレンズ５００の光学系５０１は、左目用の被写体像を形成する左目用レンズ６２０と、右目用の被写体像を形成する右目用レンズ６００とを有し、左目用レンズ６２０による左目用の被写体像と右目用レンズ６００による右目用の被写体像とをサイドバイサイド形式でＣＣＤイメージセンサー１８０上に形成させるものであり、
調整機構格納部５３０は、左目用レンズ６２０及び右目用レンズ６００のレンズ位置を水平方向に一体的に調節可能であり、
コントローラー２１０（判定部）は、左目用レンズ６２０により形成された被写体像と右目用レンズ６００により形成された被写体像との間の領域９５０が、水平方向において、画像における垂直方向基準線９４０の間の領域（所定の範囲内）にあるか否かを判定する。
【００６７】
これにより、ユーザが左目用レンズ６２０及び右目用レンズ６００の水平位置の調整を行ったときに、調整の良し悪しがデジタルビデオカメラ１００によって判定され、判定結果が液晶モニタ２７０に表示される。そのため、ユーザは水平位置の調整の良し悪しを容易に判断することができる。
【００６８】
本開示において、
３Ｄコンバージョンレンズ５００の光学系５０１は、左目用の被写体像を形成する左目用レンズ６２０と、右目用の被写体像を形成する右目用レンズ６００とを有し、左目用レンズ６２０による左目用の被写体像と右目用レンズ６００による右目用の被写体像とをサイドバイサイド形式でＣＣＤイメージセンサー１８０上に形成させるものであり、
調整機構格納部５３０は、左目用レンズ６２０及び右目用レンズ６００のレンズ位置を垂直方向に調節可能であり、
コントローラー２１０（判定部）は、左目用レンズ６２０により形成された被写体像と右目用レンズ６００により形成された被写体像の所定の部分が、垂直方向において、画像における所定の範囲内にあるか否かを判定する。
【００６９】
これにより、ユーザが左目用レンズ６２０及び右目用レンズ６００の垂直位置の調整を行ったときに、調整の良し悪しがデジタルビデオカメラ１００によって判定され、判定結果が液晶モニタ２７０に表示される。そのため、ユーザは垂直位置の調整の良し悪しを容易に判断することができる。
【００７０】
本開示において、
３Ｄコンバージョンレンズ５００の光学系５０１は、左目用の被写体像を形成する左目用レンズ６２０と、右目用の被写体像を形成する右目用レンズ６００とを有し、左目用レンズ６２０による左目用の被写体像と右目用レンズ６００による右目用の被写体像とをサイドバイサイド形式でＣＣＤイメージセンサー１８０上に形成させるものであり、
３Ｄコンバージョンレンズ５００は、当該３Ｄコンバージョンレンズ５００に所定の位置関係で装着可能なレンズキャップ５７０を備え、
レンズキャップ５７０には、レンズキャップ５７０が３Ｄコンバージョンレンズ５００に取り付けられ、かつ３Ｄコンバージョンレンズ５００が当該デジタルビデオカメラ１００に装着された状態で当該デジタルビデオカメラ１００の水平方向に対して平行になるレンズ位置調整用パターン５８０が形成されており、
調整機構格納部５３０は、左目用レンズ６２０及び右目用レンズ６００の垂直方向のレンズ位置を独立して及び一体的に調節可能であり、
コントローラー２１０（判定部）は、レンズキャップ５７０が装着され、かつ調整機構格納部５３０により左目用レンズ６２０及び右目用レンズ６００の垂直方向のレンズ位置が一体的に調節された状態において、左目用レンズ６２０及び右目用レンズ６００のうちの一方のレンズによりＣＣＤイメージセンサー１８０上に形成された被写体像に含まれるレンズ位置調整用パターン５８０が垂直方向において、画像における所定の範囲内にあるか否かを判定し、
レンズキャップが装着されておらず、かつ調整機構格納部５３０により左目用レンズ６２０及び右目用レンズ６００のうちの他方のレンズ位置が独立して調節された状態において、左目用レンズ６２０によりＣＣＤイメージセンサー１８０上に形成された左目用の被写体像と、右目用レンズ６００によりＣＣＤイメージセンサー１８０上に形成された右目用の被写体像との間の垂直方向の位置ずれ量が所定量より小さいか否かを判定する。
【００７１】
これにより、ユーザが左目用レンズ６２０及び右目用レンズ６００の垂直位置の調整を行ったときに、調整の良し悪しがデジタルビデオカメラ１００によって判定され、判定結果が液晶モニタ２７０に表示される。そのため、ユーザは垂直位置の調整の良し悪しを容易に判断することができる。特に、本開示によれば、垂直方向のレンズ位置を独立して及び一体的に調節可能であるので、左目用レンズ６２０及び右目用レンズ６００の垂直位置を一致させる調整を行うことができるが、この場合においても上記の効果が得られる。
【００７２】
本開示において、
レンズキャップのレンズ位置調整用パターンは、レンズキャップが３Ｄコンバージョンレンズ５００に装着された状態において、デジタルビデオカメラ１００の水平方向に対して斜めに交差する線を含んでいる。
【００７３】
これにより、コントラストＡＦ方式においてレンズ位置調整用パターンに合焦させやすくなる。
【００７４】
２．他の実施の形態
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
そこで、以下、他の実施の形態を例示する。
【００７５】
本実施の形態にかかるデジタルビデオカメラ１００の光学系及び駆動系は、図８に示すものに限定されない。例えば、図８では３群構成の光学系を例示しているが、他の群構成のレンズ構成としてもよい。また、それぞれのレンズは、１つのレンズで構成してもよく、複数のレンズから構成されるレンズ群として構成してもよい。
【００７６】
また、実施の形態１では、撮像手段として、ＣＣＤイメージセンサー１８０を例示したが、これに限定されない。例えば、撮像手段をＣＭＯＳイメージセンサーで構成してもよく、ＮＭＯＳイメージセンサーで構成してもよい。
【００７７】
上記実施の形態では、図１１に示すメッセージ「レンズキャップを取り付けてください」を見ることにより、ユーザにレンズキャップ５７０の取り付けを促すようにした。このとき、実際にレンズキャップ５７０が取り付けられたか否かを、検出スイッチ８００により検出した。しかし、撮影画像の解析（レンズキャップ５７０に付与された模様の識別）により、レンズキャップ５７０が取り付けられたことを確認するようにしてもよい。このとき、レンズキャップ５７０が取り付けられていないことが認められるときは、ユーザに対して、レンズキャップ５７０を取り付けるよう、更に促す報知を行なうようにしてもよい。または、レンズキャップ５７０が取り付けられていないことが認められるときは、図１２の調整画面に移行しないように規制してもよい。
【００７８】
上記実施の形態において、第２レンズ垂直調整ダイヤル５６０では、左目用レンズ６２０を垂直方向に調整しているが、これに限定されず、右目用レンズ６００を調整する構成にしてもよい。但し、第２レンズ垂直調整ダイヤル５６０の操作により、右目用レンズ６００を調整する場合は、図１３を用いて説明した左目用レンズ６２０及び右目用レンズ６００の両レンズの垂直方向の調整判定において、左目用画像９７０Ｌが基準線内に収まっているか否かにより判定を行なう。
【００７９】
上記実施の形態において、ユーザ自身がマニュアルにより調整可能な第２垂直調整ダイヤル５６０を設けているが、これに限定されない。左目用画像及び右目用画像の垂直ずれについては、画像処理部１９０による画像処理により自動的に調整する構成であってもよい。
【００８０】
上記実施の形態では、適切に調整されていない旨を「ＮＧ」を示すＯＳＤ８１０により示したが、これに限定されない。適切に調整されていない旨を示す表現であれば、他の表現でも構わない。更には、適切に調整できていない旨に加えて、どちらの方向に調整すべきかを合わせて表示するようにしてもよい。例えば、左右のいずれにずれているかを明示し、ユーザに調整を促すようにしてもよい。上記実施の形態においては、適切に調整されていない旨を表示するようにしたが、音による報知であってもよいし、照明の点灯などによる報知であってもよい。
【００８１】
上記実施の形態において、３Ｄコンバージョンレンズ５００の調整を行なう際に、暗い撮影環境下にある等の理由により、レンズキャップ５７０の撮影画像が暗い場合は、画像解析による調整ができない場合がある。そのため、所定の基準値よりも照度が低い場合は、明るい環境下で調整するようユーザに促す画面を表示してもよい。
【００８２】
上記実施の形態において、左右の垂直ズレ調整において、撮影画像に含まれる被写体のコントラスト値が低い場合は、十分な被写体情報を取得できず、左右のマッチングを失敗してしまう恐れがある。そのため、所定の基準値よりも被写体のコントラスト値が低い場合は、より高コントラストの被写体を撮影するようユーザに促す画面を表示してもよい。
【００８３】
上記実施の形態において、図１２の画面から図１３の画面への遷移、図１３の画面から図１４の画面への遷移、図１４の画面から図１５の画面への遷移を、ユーザによる「次へ」ＯＳＤの押下により行なうようにしたがこれに限定されない。すなわち、直前の調整項目の調整が適切に行なわれていないときは、次の調整項目の画面に遷移できないよう規制してもよい。そして、直前の調整項目の調整が適切に行なわれているときに初めて、次の調整項目の画面に遷移できるように構成してもよい。これにより、ユーザは、デジタルビデオカメラ１００に装着した３Ｄコンバージョンレンズ５００の光学系５０１を適切に調整することができる。
【００８４】
以上のように、本開示における技術の例示として、実施の形態を説明した。そのために、添付図面及び詳細な説明を提供した。
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００８５】
本開示は、３次元画像を撮像可能な撮像装置に適用可能である。具体的に、本開示は、デジタルビデオカメラやデジタルスチルカメラ等の撮像装置に適用できる。
【符号の説明】
【００８６】
１００  デジタルビデオカメラ
１１０  ズームレンズ
１２０  検出器
１３０  ズームモータ
１４０  ＯＩＳ
１５０  ＯＩＳアクチュエータ
１６０  検出器
１７０  フォーカスレンズ
１８０  ＣＣＤイメージセンサー
１９０  画像処理部
２００  メモリ
２１０  コントローラー
２２０  ジャイロセンサー
２３０  カードスロット
２４０  メモリカード
２５０  操作部材
２６０  ズームレバー
２７０  液晶モニタ
２８０  内部メモリ
８００  検出スイッチ
【図１】
2013145372.tif 000003
【図２】
2013145372.tif 000004
【図３】
2013145372.tif 000005
【図４】
2013145372.tif 000006
【図５】
2013145372.tif 000007
【図６】
2013145372.tif 000008
【図７】
2013145372.tif 000009
【図８】
2013145372.tif 000010
【図９Ａ】
2013145372.tif 000011
【図９Ｂ】
2013145372.tif 000012
【図１０】
2013145372.tif 000013
【図１１】
2013145372.tif 000014
【図１２】
2013145372.tif 000015
【図１３】
2013145372.tif 000016
【図１４】
2013145372.tif 000017
【図１５】
2013145372.tif 000018